(57)【要約】【課題】ディスプレイユニットが本体ユニットに対して相対的に可動する携帯端末装置において、ディスプレイへの傷が付き難い携帯端末装置に関する技術を提供する。【解決手段】折り畳み構造を有する携帯端末装置であって、操作キー２１を有する本体ユニット２０と、本体ユニット２０と可動自在に接続され、折り畳み時に操作キー２１に対向する対向面にディスプレイ１１を有するディスプレイユニット１０と、ディスプレイユニット１０の対向面であってディスプレイ１１の外縁部に設けられ、ディスプレイユニット１０の自由端側よりも本体ユニット２０との接続側の高さが低く形成されたディスプレイ傷付き防止用の突起部１２と、を備える。【選択図】図１
2008079069.tif 000002
【特許請求の範囲】
【請求項１】
折り畳み構造を有する携帯端末装置であって、
操作キーを有する本体ユニットと、
前記本体ユニットと可動自在に接続され、折り畳み時に前記操作キーに対向する対向面にディスプレイを有するディスプレイユニットと、
前記ディスプレイユニットの対向面であって前記ディスプレイの外縁部に設けられ、前記ディスプレイユニットの自由端側よりも前記本体ユニットとの接続側の高さが低く形成された突起部と、
を備える、携帯端末装置。
【請求項２】
前記突起部は、前記ディスプレイと一体的に設けられている、請求項１に記載の携帯端末装置。
【請求項３】
折り畳み構造を有する携帯端末装置であって、
操作キーを有する本体ユニットと、
前記本体ユニットと可動自在に接続され、折り畳み時に前記操作キーに対向する対向面にディスプレイを有するディスプレイユニットと、
前記ディスプレイユニットの対向面であって前記ディスプレイの外縁部に該ディスプレイと一体的に設けられた突起部と、
を備える、携帯端末装置。
【請求項４】
前記突起部は、その高さが自由端側よりも前記本体ユニットとの接続側が低く形成されている、請求項３に記載の携帯端末装置。
【請求項５】
前記本体ユニットと前記ディスプレイユニットとを可動自在に接続する接続ユニットを更に備え、
前記接続ユニットは、
前記ディスプレイユニットを折り畳み方向に回転自在に接続する第一のヒンジと、
前記ディスプレイユニットを前記ディスプレイと平行な平面上で回転自在に接続する第二のヒンジと、を有する請求項１から請求項４のいずれかに記載の携帯端末装置。
【請求項６】
前記突起部は、前記ディスプレイの外縁周囲に設けられている、請求項１から請求項５のいずれかに記載の携帯端末装置。
【請求項７】
前記突起部は、前記ディスプレイの外縁周囲に点線状に設けられ、
前記点線状の突起部は、その長さが前記操作キーの外径よりも大きく形成され、
前記点線状の突起部同士の間隔は、前記操作キー同士の間隔よりも小さく形成されている、請求項１から請求項５のいずれかに記載の携帯端末装置。
【請求項８】
前記操作キーは、前記本体ユニットの対向面よりも突出しないように形成されている、請求項１から請求項７のいずれかに記載の携帯端末装置。
【請求項９】
コンテンツ情報を表示する表示部は、折り畳み時において前記操作キーに対向する前記ディスプレイのみである請求項１から請求項８のいずれかに記載の携帯端末装置。
【発明の詳細な説明】
【技術分野】
【０００１】
本発明は、携帯端末装置、特にディスプレイを有するディスプレイユニットが、操作キーを有する本体ユニットに可動可能に接続される携帯端末装置に関する。
【背景技術】
【０００２】
近年の携帯端末装置には、液晶、有機ＥＬ（Electroluminescence）からなるディスプ
レイ表示機能が設けられている。また、折り畳み構造の携帯端末装置が数多く普及している。しかし、従来の典型的な折り畳み構造の携帯端末装置は、ディスプレイが縦長固定であり使い勝手が悪いといった問題を有していた。
【０００３】
上記問題を解決すべく様々な技術が提案されている。例えば、特許文献１は、ディスプレイ（ディスプレイユニット）が操作ボード（本体ユニット）に回転及び／又は移動自在に接続される技術を開示している。
【特許文献１】特開２００５−１５１１６６号公報
【発明の開示】
【発明が解決しようとする課題】
【０００４】
一般的な折り畳み構造を有する携帯端末装置は、折り畳み時、ディスプレイと操作キーとが対向する構造を有する。しかし、ディスプレイと操作キーが直接接するとディスプレイに傷が付くことがある。これを回避するため、折り畳み時にディスプレイが本体ユニットの対向面の操作キー等と接しないように、本体ユニットの一部に凸部を設ける技術が知られている。また、傷付き防止用の部品（プロテクタ等）をディスプレイに取り付けることが行われている。
【０００５】
しかし、プロテクタ等の別部品を取り付ける場合、デザイン性の低下や、部品点数の増加、携帯端末装置のサイズの拡大といった問題が生ずる。これは、携帯端末装置の小型化、低コスト化、優れたデザイン性が求められる現在の市場において好ましくない。
【０００６】
また、多種多様のコンテンツに対応するため、ディスプレイユニットが本体ユニットに回転及び／又は移動自在に接続される折り畳み構造を有する携帯端末装置が年々増加している。しかし、例えば携帯端末装置を折り畳んだ状態でディスプレイユニットが回転する場合には、ディスプレイと本体ユニットの対向面が擦れるといった事態が生ずる。したがって、一部に凸部を設けるような単に接触を防止するための従来の構造では、ディスプレイの傷付き防止という目的を十分に果たすことができない。
【０００７】
本発明では、上述した問題に鑑み、ディスプレイユニットが本体ユニットに対して相対的に可動する携帯端末装置において、ディスプレイへの傷が付き難い携帯端末装置に関する技術を提供することを課題とする。
【課題を解決するための手段】
【０００８】
本発明では、上述した課題を解決するため以下の手段を採用した。すなわち、本発明は、折り畳み構造を有する携帯端末装置であって、操作キーを有する本体ユニットと、前記本体ユニットと可動自在に接続され、折り畳み時に前記操作キーに対向する対向面にディスプレイを有するディスプレイユニットと、前記ディスプレイユニットの対向面であって前記ディスプレイの外縁部に設けられ、前記ディスプレイユニットの自由端側よりも前記本体ユニットとの接続側の高さが低く形成された突起部と、を備える。
【０００９】
本発明に係る携帯端末装置は、ディスプレイの外縁部にディスプレイ傷付き防止用の突起部を有することを特徴とする。これにより、ディスプレイへ傷が付くことが防止される。なお、突起部がディスプレイの外縁部に設けられるとは、ディスプレイユニットを折り畳んだ状態でディスプレイユニットを回転させても本体ユニットの対向面とディスプレイとが直接接しない程度にディスプレイユニットの対向面に突起部が設けられていることを意味する。ここで、本発明に係る携帯端末装置は、ディスプレイユニットが本体ユニットに可動自在に接続される。そして、この可動自在には、ディスプレイユニットの折り畳み方向への動きの他、折り畳んだ状態でのディスプレイユニットの回転動作やスライド動作等が含まれる。特に、折り畳んだ状態でディスプレイユニットを回転させる場合、ディスプレイと操作キーとが擦れるといった事態が生ずる。しかし、本発明に係る携帯端末装置によれば、このような状況においてもディスプレイへ傷が付くことを防止することができる。
【００１０】
また、本発明に係る携帯端末装置は、ディスプレイの外縁部に設けられた突起部の高さが不均一であることを特徴とする。より具体的には、突起部の高さがディスプレイユニットの自由端側よりも本体ユニットとの接続側が低く形成されていることを特徴とする。ディスプレイの外縁部に設けられる突起部の高さを均一とすると、ディスプレイユニットと本体ユニットの接続側において、突起部が本体ユニットと干渉して携帯端末装置がいわゆる口開き状態になってしまう。しかし、本発明に係る携帯端末装置では、接続側の突起部の高さが自由端側よりも低く形成されている。したがって、携帯端末装置が口開き状態となることを防止することができる。なお、上記のような突起部の高さの変化は、自由端側から接続側に向けて徐々に低くするようにしてもよい。また、突起部の高さの変化は、自由端側から接続側に向けて段階的に低くするようにしてもよい。
【００１１】
なお、突起部の形状は、特に限定されない。例えば、突起部の断面形状は、矩形状でもよいし半円状としてもよく、また、矩形状で隅部を面取りした形状であってもよい。
【００１２】
また、本発明に係る携帯端末装置において、前記突起部は、前記ディスプレイと一体的に設けることが好ましい。これにより、部品点数が削減されるからである。なお、突起部とディスプレイとの一体的な形成は、射出成形により行うことができる。また、突起部の材質は特に限定されるものではなく、ディスプレイと同じ材料とすることができる。但し、突起部の材質は、本体ユニットの対向面を構成する材質よりも若干やわらかい材質とすることがより好ましいといえる。このようにすることで、本体ユニットの対向面と擦れたりする際の衝撃を吸収することができるからである。
【００１３】
また、本発明に係る携帯端末装置は、前記本体ユニットと前記ディスプレイユニットとを可動自在に接続する接続ユニットを更に備え、前記接続ユニットは、前記ディスプレイユニットを折り畳み方向に回転自在に接続する第一のヒンジと、前記ディスプレイユニットを前記ディスプレイと平行な平面上で回転自在に接続する第二のヒンジと、を有するようにしてもよい。
【００１４】
接続ユニットは、本体ユニットとディスプレイユニットとを可動自在に接続する。接続ユニットには、第一のヒンジと第二のヒンジが設けられている。第一のヒンジによれば、ディスプレイユニットを折り畳み方向へ回転させることが可能となる。また、第二のヒンジによれば、ディスプレイユニットをディスプレイと平行な平面上で回転させることが可能となる。なお、ディスプレイと平行な平面状での回転は、携帯端末装置を折り畳んだ状態、開いた状態のいずれにおいても可能である。
【００１５】
また、本発明において、前記突起部は、前記ディスプレイの外縁周囲に設けてもよい。外縁周囲とは、ディスプレイの周囲を覆うように切れ目なくディスプレイユニットの対向
面に突起部が形成されていることを意味する。これにより、携帯端末装置を折り畳んだ状態でディスプレイユニットを回転させても、常に突起部が本体ユニットの対向面と接することになる。その結果、本体ユニットとの擦れによるディスプレイの損傷を防止することができる。
【００１６】
また、本発明において、前記突起部は、前記ディスプレイの外縁周囲に点線状に設けられ、前記点線状の突起部は、その長さが前記操作キーの外径よりも大きく形成され、前記点線状の突起部同士の間隔は、前記操作キー同士の間隔よりも小さく形成されていてもよい。
【００１７】
点線状とは、ディスプレイに直接本体ユニットの対向面が接しない程度に複数の突起部が形成されていることを意味する。そして、突起部一つ一つの長さを操作キーの外径よりも大きくし、突起部同士の間隔を操作キー同士の間隔よりも小さく形成する。これにより、切れ目なく突起部を形成しなくとも、本体ユニットの対向面がディスプレイと直接接触することを防止することができる。その結果、本体ユニットとの擦れによるディスプレイの損傷を防止することができる。
【００１８】
また、本発明において、前記操作キーは、前記本体ユニットの対向面よりも突出しないように形成することが好ましい。操作キーが本体ユニットの対向面よりも突出していると、携帯端末装置を折り畳んだ状態でディスプレイユニットを回転させた場合、操作キーが突起部に引っ掛かることが想定される。しかし、操作キーを本体ユニットの対向面よりも突出しないように形成することでこのような事態を回避することができる。
【００１９】
また、本発明において、コンテンツ情報を表示する表示部は、携帯端末装置の折り畳み時において前記操作キーに対向する前記ディスプレイのみとすることができる。近年の携帯端末装置は、折り畳んだ状態においてもコンテンツ情報を確認できるよう、ディスプレイユニットの外側にサブディスプレイが設けられているものが少なくない。ここで、本発明に係る携帯端末装置は、折り畳んだ状態でディスプレイユニットをディスプレイと平行な平面上で回転させることができる。そして、このような回転機能を有することで、本発明に係る携帯端末装置によれば、折り畳んだ状態のままディスプレイユニットを所定の角度回転させてディスプレイの一部を視認することができる。すなわち、ディスプレイ自体に従来のサブディスプレイの機能を持たせることが可能となるので、サブディスプレイを設ける必要性がなくなる。したがって、本発明に係る突起部は、このようなディスプレイ自体にサブディスプレイの機能を備える携帯端末装置にも好適であるといえる。
【発明の効果】
【００２０】
本発明によれば、ディスプレイユニットが本体ユニットに対して相対的に可動する携帯端末装置において、ディスプレイへの傷が付き難い携帯端末装置に関する技術を提供することができる。
【発明を実施するための最良の形態】
【００２１】
次に、本発明に係る携帯端末装置の実施形態について図面に基づいて説明する。
【００２２】
＜第一の実施形態＞
図１は、第一の実施形態に係る携帯端末装置の開いた状態を示す斜視図である。また、図２Ａから図２Ｃは、ディスプレイユニット１０の可動状態を示す斜視図である。図２Ａは、携帯端末装置を折り畳んだ状態でディスプレイユニット１０を時計回りに回転させた斜視図である。図２Ｂは、携帯端末装置を折り畳んだ状態を示す斜視図である。図２Ｃは、携帯端末装置を折り畳んだ状態でディスプレイユニット１０を反時計回りに回転させた斜視図である。
【００２３】
図１、図２Ａから図２Ｃに示すように、第一の実施形態に係る携帯端末装置は、ディスプレイ１１を有するディスプレイユニット１０と、操作キー２１を有する本体ユニット２０とを備え、ディスプレイユニット１０と本体ユニット２０とは、接続ユニット３０により可動自在に電気的に接続されている。また、ディスプレイユニット１０の対向面であってディスプレイ１１の外縁周囲には、本体ユニット２０との擦れによるディスプレイ１１への損傷を防止する突起部１２が形成されている。
【００２４】
また、接続ユニット３０は、第一のヒンジ３１と第二のヒンジ３２とを備える。これにより、第一の実施形態に係る携帯端末装置は、一般的な折り畳み動作に加えて、ディスプレイ１１と平行な平面上においても回転可能となる。以下、各構成についてより詳細に説明する。
【００２５】
本体ユニット２０は、平面視において縦長の矩形状である。そして、本体ユニット２０の対向面には、携帯端末装置を操作するための各種の操作キー２１が設けられている。なお、第一の実施形態に係る携帯端末装置においては、この操作キー２１が本体ユニット２１の対向面よりも突出しないように形成されている。これにより、携帯端末装置を折り畳んだ状態でディスプレイユニット１０をディスプレイ１１と平行な平面上で回転させた場合でも、操作キー２１が突起部１２に引っ掛かることがない。
【００２６】
接続ユニット３０は、平面視において縦長の矩形状である。そして、その幅は本体ユニット２０の幅とほぼ同じであるが、その長さは本体ユニット２０よりも短く形成されている。そして、第一のヒンジ３１が設けられる端部の反対側に位置する自由端部は、円弧状に形成されている。円弧状とすることで、係る円弧の中心を軸としてディスプレイユニット１０が回転することを使用者にイメージさせることができる。また、携帯端末装置のデザイン性を向上させることができる。
【００２７】
接続ユニット３０には、接続ユニット３０と本体ユニット２０とを接続する第一のヒンジ３１と、接続ユニット３０とディスプレイ１０とを接続する第二のヒンジ３２と、が設けられている。第一のヒンジ３１は、接続ユニット３０の上端部と本体ユニット２０の上端部とを接続する。第一のヒンジ３１は、その回転軸が本体ユニット２０内側上端部に上端部と平行に設けられる。これにより、ディスプレイユニット１０の折り畳み方向への回転が可能となる。なお、第一のヒンジ３１の回転可能な角度は、特に限定されるものでない。例えば、１８０度することで、本体ユニット２０の内側平面とディスプレイ１１とがおおよそ同一平面上に位置することになる。その結果、使用者が本体ユニット２０を手に取った場合において、コンテンツ情報をディスプレイ１１に見易い角度で表示することができる。
【００２８】
第二のヒンジ３２は、接続ユニット３０とディスプレイユニット１０とを接続する。第二のヒンジ３２は、その回転軸が携帯端末装置の幅方向の中心線上であって長手方向のやや上よりにディスプレイ１１の表面と略直角に設けられている。これにより第二のヒンジの回転軸を中心として、ディスプレイ１１を縦状態から横状態へと自由に切り替えることができる。なお、本実施形態に係る携帯端末装置は、折り畳み状態でもディスプレイユニット１０をディスプレイ１１と平行な平面上で回転させることができる。例えば、携帯端末装置を折り畳んだ状態でディスプレイユニット１０を略９０度回転させると、ディスプレイ１１の上部の一部が折り畳んだ状態のまま視認可能となる。したがって、本実施形態に係る携帯端末装置によれば、ディスプレイユニット１０の外側にサブディスプレイを設けなくともディスプレイ１１の一部をサブディスプレイとして機能させることが可能となる。
【００２９】
ディスプレイユニット１０は、平面視においておおよそ縦長の矩形状である。但し、第一のヒンジ３１側の端部は、円弧状に形成されている。その結果、ディスプレイユニット１０をディスプレイ１１と平行な平面上で回転させた際にディスプレイユニット１０の端部が第一のヒンジ３１と干渉することを防止することができる。なお、ディスプレイユニット１０は、幅、長さ共に本体ユニット２０とほぼ同じであるが、その長さは、第一のヒンジ３１の分だけ本体ユニット２０よりも短く形成されている。そして、ディスプレイユニット１０は、接続ユニット３０の対向面に第二のヒンジ３２を介して接続されている。
【００３０】
ディスプレイユニット１０の対向面には、ディスプレイ１１が設けられている。そして、ディスプレイ１１の外縁周囲には、突起部１２が切れ目なくディスプレイ１１と一体的に形成されている。ここで、突起部１２についてより詳細に説明する。図３Ａは、高さが徐々に変化する突起部１２を有する携帯端末装置の拡大斜視図である。図３Ｂは、高さが徐々に変化する突起部１２を有する携帯端末装置の側面図である。図３Ａ、図３Ｂに示すように、第一の実施形態に係る突起部１２は、自由端側よりも第一のヒンジ３１側の高さが低く形成されている。このような形状とすることで、突起部１２が第一のヒンジ３１と干渉していわゆる口開き状態となることを防止することができる。図４は、口開き状態の携帯端末装置を示す側面図である。口開き状態とは、ディスプレイユニット１０の第一のヒンジ３１側の端部が本体ユニット２０と干渉して自由端側が完全に閉じない状態をいう。本実施形態に係る携帯端末装置では、第一のヒンジ３１側の突起部の高さが自由端側の突起部の高さよりも低く形成され、第一のヒンジ３１側のディスプレイユニット１０の対向面と本体ユニット２０の対向面との間にクリアランスが確保されている。その結果、本実施形態に係る携帯端末装置によればこのようないわゆる口開き状態を回避することができる。
【００３１】
なお、本実施形態では、突起部１２の高さが徐々に変化する構成である。しかし、突起部１２の形態は、これに限定されるわけではない。例えば、段部を設けて第一のヒンジ３１側の高さと自由端側の高さを変化させることもできる。図５Ａは、段部１３が設けられた突起部１２を有する携帯端末装置の拡大斜視図である。図５Ｂは、段部１３が設けられた突起部１２を有する携帯端末装置の側面図である。図５Ａ、図５Ｂに示すように、本実施形態に係る突起部１２の高さは、段部１３を境として自由端側が高く、第一のヒンジ３１側が低く形成されている。そして、このような形態であってもいわゆる口開き状態を回避することができる。
【００３２】
次に、突起部１２の断面形状について説明する。図６Ａ、図６Ｂ、図６Ｃは、突起部１２の断面形状を示す図である。突起部１２の断面形状は、特に限定されるものではないが、例えば、図６Ａから図６Ｃのように形成することができる。図６Ａに記載の突起部１２は、その断面が略矩形であり、隅部が面取りされた形状である。図６Ｂに記載の突起部１２は、その断面がかまぼこ状に形成されている。また、図６Ｃに記載の突起部１２は、その断面が半円状に形成されている。そしてこれらの突起部は、ディスプレイ１１と射出成形により一体的に形成することができる。
【００３３】
以上説明した第一の実施形態に係る携帯端末装置によれば、突起部１２を備えることでディスプレイ１１の表面に傷が付くことを防止することができる。すなわち、第一の実施形態に係る携帯端末装置では、ディスプレイ１１の外縁周囲に切れ目なく突起部１２が設けられている。したがって、携帯端末装置を折り畳んだ状態でディスプレイユニット１０をディスプレイ１１と平行な平面上で回転させた場合であっても常に突起部１２が本体ユニット２０の対向面と接することになる。その結果、ディスプレイ１１が直接本体ユニット２０の対向面と接することが防止されるので、本体ユニット２０との擦れによるディスプレイ１１の損傷を防止することができる。また、第一の実施形態に係る携帯端末装置は、突起部１２の高さが第一のヒンジ側の高さよりも低いといった不均一な高さ構成である
。その結果、携帯端末装置がいわゆる口開き状態となることを防止することができる。
【００３４】
以上、本発明の好適な実施形態を説明したが、本発明に係る携帯端末装置はこれらに限らず、可能な限りこれらの組合せを含むことができる。なお、本実施形態に係る携帯端末装置では、突起部１２をディスプレイ１１の外縁周囲に切れ目なく配置した。これにより、突起部１２が常に本体ユニット２０の対向面と接するので、ディスプレイ１１の表面に傷が付くことが防止される。しかし、突起部１２は、例えば点線状に配置してもよい。但し、点線状に配置する場合、突起部１２の一つ一つの長さを操作キー２１の外径よりも大きくし、突起部１２同士の間隔を操作キー２１同士の間隔よりも小さくすることが好ましい。このような構成とすれば、切れ目なく突起部１２を形成しなくとも、ディスプレイ１１に直接本体ユニット２０の対向面が接することを防止することができるからである。
【００３５】
また、上述した実施形態ではディスプレイユニット１０がディスプレイ１１と平行な平面上で回転可能なものについて説明したがこれに限定されるわけではない。例えば、携帯端末装置は、ディスプレイユニット１０が本体ユニット２０に対してスライドするようなものであってもよい。更に、上述した実施形態では、突起部１２は、ディスプレイ１１の外縁部に設けることとした。但し、これに限定されるわけではない。サブディスプレイを有する携帯端末装置において、サブディスプレイが例えば本体ユニット１０と接触するような場合には、突起部１２をサブディスプレイの外縁部に設けてもよい。
【図面の簡単な説明】
【００３６】
【図１】携帯端末装置の開いた状態を示す斜視図である。
【図２Ａ】携帯端末装置を折り畳んだ状態でディスプレイユニットを時計回りに回転させた斜視図である。
【図２Ｂ】携帯端末装置を折り畳んだ状態を示す斜視図である。
【図２Ｃ】携帯端末装置を折り畳んだ状態でディスプレイユニットを反時計回りに回転させた斜視図である。
【図３Ａ】高さが徐々に変化する突起部を有する携帯端末装置の拡大斜視図である。
【図３Ｂ】高さが徐々に変化する突起部を有する携帯端末装置の側面図である。
【図４】口開き状態の携帯端末装置を示す側面図である。
【図５Ａ】段部が設けられた突起部を有する携帯端末装置の拡大斜視図である。
【図５Ｂ】段部が設けられた突起部を有する携帯端末装置の側面図である。
【図６Ａ】断面が略矩形であり、隅部が面取りされた形状を有する突起部の断面図である。
【図６Ｂ】断面がかまぼこ状の突起部の断面図である。
【図６Ｃ】断面が半円状の突起部の断面図である。
【符号の説明】
【００３７】
１０・・・ディスプレイユニット
１１・・・ディスプレイ
１２・・・突起部
２０・・・本体ユニット
２１・・・操作キー
３０・・・接続ユニット
３１・・・第一のヒンジ
３２・・・第二のヒンジ
【図１】
2008079069.tif 000003
【図２Ａ】
2008079069.tif 000004
【図２Ｂ】
2008079069.tif 000005
【図２Ｃ】
2008079069.tif 000006
【図３Ａ】
2008079069.tif 000007
【図３Ｂ】
2008079069.tif 000008
【図４】
2008079069.tif 000009
【図５Ａ】
2008079069.tif 000010
【図５Ｂ】
2008079069.tif 000011
【図６Ａ】
2008079069.tif 000012
【図６Ｂ】
2008079069.tif 000013
【図６Ｃ】
2008079069.tif 000014